(57)【要約】【課題】所望の抵抗値に調整することができるチップ抵抗器を提供する。【解決手段】チップ抵抗器は、長方形状の抵抗体４を介して対向する一対の表面電極２，３を備えており、抵抗体４にトリミング溝５を形成することによって抵抗値が調整されるようになっている。一方の表面電極２の対向辺は互いに逆向きに傾斜する第１傾斜辺部２ａと第２傾斜辺部２ｂを有しており、これら第１および第２の傾斜辺部２ａ，２ｂは抵抗体４の相対向する長辺部４ａ，４ｂに重なっている。他方の表面電極３の端部は直線部３ｄを有する対向辺となっており、この直線部３ｄは抵抗体４の両長辺部４ａ，４ｂと直角に重なっている。これにより、抵抗体４を介して対向する両表面電極２，３間の距離は、抵抗体４の幅方向の中央部分が最も長くなり、この最長部分を境に抵抗体１３の下側の長辺部４ａと上側の長辺部４ｂに向かって次第に短くなっている。【選択図】図１
2015090896.tif 000002
【特許請求の範囲】
【請求項１】
絶縁基板と、この絶縁基板上に所定間隔を存して対向配置された一対の電極と、これら電極間を橋絡する長方形状の抵抗体とを備え、前記抵抗体にトリミング溝を形成することで抵抗値が調整されるチップ抵抗器において、
前記両電極の少なくとも一方の対向辺が、前記抵抗体の一方の長辺部に対して斜め交差する第１傾斜辺部と、前記抵抗体の他方の長辺部に対して前記第１傾斜辺部と逆向きに斜め交差する第２傾斜辺部とを有していることを特徴とするチップ抵抗器。
【請求項２】
請求項１の記載において、前記第１傾斜辺部と前記第２傾斜辺部が前記抵抗体に重なる位置で交わっていることを特徴とするチップ抵抗器。
【請求項３】
請求項２の記載において、前記第１傾斜辺部と前記第２傾斜辺部の交点を通って前記抵抗体の長手方向へ延びる直線に関して、これら第１傾斜辺部と第２傾斜辺部が線対称になっていることを特徴とするチップ抵抗器。
【請求項４】
請求項１の記載において、前記第１傾斜辺部と前記第２傾斜辺部が前記抵抗体の幅方向へ延びる直線辺部を介して連続しており、この直線辺部が相手側の前記電極の対向辺と最短距離で対向していることを特徴とするチップ抵抗器。
【発明の詳細な説明】
【技術分野】
【０００１】
本発明は、絶縁基板上に設けられた抵抗体にトリミング溝を形成することで抵抗値が調整されるチップ抵抗器に関するものである。
【背景技術】
【０００２】
一般的にチップ抵抗器は、直方体形状の絶縁基板と、絶縁基板上に所定間隔を存して対向配置された一対の表面電極と、これら表面電極間を橋絡する長方形状の抵抗体等によって主に構成されており、抵抗体には抵抗値を調整するためのトリミング溝が形成されている。トリミング溝はレーザの照射によって形成されるスリットであり、そのスリット形状としてはストレートカットやＬカットが広く採用されている。
【０００３】
このようなトリミング溝を形成する場合、抵抗体の両端部に接続する表面電極に測定端子（プローブ）を接触させて、抵抗体の抵抗値を測定しながら抵抗体の一方の側縁から幅方向にスリットを入れることにより、測定抵抗値を目標抵抗値に対して一致させるようにトリミング溝を形成する（ストレートカット）。あるいは、上記のように抵抗体の一方の側縁から幅方向にスリットを入れて、測定抵抗値が目標抵抗値よりも僅かに下回るまで抵抗値を上昇させた後（抵抗値の粗調整）、そのスリットを方向変換して抵抗体の長手方向へ延ばすことにより（Ｌカット）、測定抵抗値を目標抵抗値に対して一致させるようにしている（抵抗値の微調整）。
【０００４】
しかしながら、上記したチップ抵抗器においては、トリミングの進行位置に関係なく抵抗体を介して対向する両表面電極間の距離が一定であり、抵抗体に入れられたスリットの切り込み量が増えていくと、さらなるスリットの切り込み量増分に対する抵抗値増分の割合が大きくなっていくため、抵抗値設定の精度を向上させることが困難となる。
【０００５】
そこで従来より、抵抗値調整を容易に行えるようにするために、表面電極の端部を傾斜辺にしたチップ抵抗器が提案されている（特許文献１参照）。図６に示すように、この従来例に係るチップ抵抗器は、直方体形状の絶縁基板１０上に所定間隔を存して配置された一対の表面電極１１，１２のうち、図示左側の表面電極１１の端部は抵抗体１３と斜めに重なる対向辺（傾斜辺）１１ａとなっており、図示右側の表面電極１２の端部は抵抗体１３と直角に重なる対向辺１２ａとなっている。したがって、両表面電極１１，１２間の距離は抵抗体１３の幅方向に沿って徐々に変化し、図示の例では、抵抗体１３の下辺に沿った電極間距離が最も短く、抵抗体１３の上辺に沿った電極間距離が最も長くなっている。
【０００６】
トリミング溝１４は抵抗体１３の下辺から鉛直方向上側へ延びるように形成されており、このように電極間が狭い側からトリミング溝１４を形成すると、トリミング溝１４のスリット長さ当たりの抵抗値変化が大きくなるため、抵抗値の切上げ幅を広くすることができる。なお、これとは逆にトリミング溝１４を抵抗体１３の上辺から鉛直方向下側へ延びるように形成したものも知られており、このように電極間が広い側からトリミング溝１４を形成した場合は、トリミング溝１４のスリット長さ当たりの抵抗値変化が小さくなるため、微調整が行い易くなって抵抗値精度を高めることが可能になる。
【先行技術文献】
【特許文献】
【０００７】
【特許文献１】特開平９−１２９４０５号公報
【発明の概要】
【発明が解決しようとする課題】
【０００８】
ところで、表面電極や抵抗体を絶縁基板上に形成する場合は、スクリーンと呼ばれる製版を用いてペーストを転写するスクリーン印刷が一般的であり、図６に示したチップ抵抗器においては、絶縁基板１０上にＡｇペーストをスクリーン印刷して一対の表面電極１１，１２を形成した後、これら表面電極１１，１２に跨がるように抵抗体ペーストをスクリーン印刷して抵抗体１３を形成するようにしている。しかしながら、表面電極と抵抗体は別々の工程でスクリーン印刷されるものであるため、両者の位置関係が常に正確に保たれるとは限らず、例えば、図７（ａ），（ｂ）に示すように、表面電極１１，１２と抵抗体１３の位置関係がずれてしまうことがある。また、チップ抵抗器は大判の集合基板を縦横の分割溝に沿って個片化することによって製造されるため、スクリーンの伸び等に起因して集合基板の周辺付近に上記したような位置ずれが発生し易くなる。
【０００９】
図７（ａ）は両表面電極１１，１２の中心を通る直線Ｐに対して抵抗体１３が下方へ位置ずれした場合を示し、図７（ｂ）は同直線Ｐに対して抵抗体１３が上方へ位置ずれした場合を示している。図７（ａ）の場合は、両表面電極１１，１２の対向辺１１ａ，１２ａで挟まれた電極間距離が短くなるため、トリミング溝を形成する前の抵抗体１３の初期抵抗値は低くなる方向へシフトする。その結果、目標抵抗値にするのに必要なトリミング溝の長さを通常よりも延ばさなくてはならないため、生産効率が低下してしまう虞があり、また、トリミング溝の形成後の抵抗体残部が少なくなるため、過負荷特性の悪いチップ抵抗器になってしまう虞がある。一方、図７（ｂ）の場合は、両表面電極１１，１２の対向辺１１ａ，１２ａで挟まれた電極間距離が長くなるため、抵抗体１３の初期抵抗値は高くなる方向へシフトし、最悪の場合、トリミング溝の形成前に目標抵抗値を超えてしまう虞がある。
【００１０】
本発明は、このような従来技術の実情に鑑みてなされたもので、その目的は、電極と抵抗体の位置関係にずれが生じたとしても、初期抵抗値にほとんど影響を及ぼすことのないチップ抵抗器を提供することにある。
【課題を解決するための手段】
【００１１】
上記の目的を達成するために、本発明は、絶縁基板と、この絶縁基板上に所定間隔を存して対向配置された一対の電極と、これら電極間を橋絡する長方形状の抵抗体とを備え、前記抵抗体にトリミング溝を形成することで抵抗値が調整されるチップ抵抗器において、前記両電極の少なくとも一方の対向辺が、前記抵抗体の一方の長辺部に対して斜め交差する第１傾斜辺部と、前記抵抗体の他方の長辺部に対して前記第１傾斜辺部と逆向きに斜め交差する第２傾斜辺部とを有している構成にした。
【００１２】
このように構成されたチップ抵抗器では、少なくとも一方の電極の対向辺が逆向きに傾斜する第１傾斜辺部と第２傾斜辺部を有しており、これら第１傾斜辺部と第２傾斜辺部が抵抗体の相対向する長辺部に重なっているため、絶縁基板上で一対の電極に対して抵抗体が幅方向へずれると、抵抗体の両長辺部に沿った電極間距離は、一方の斜辺部側で広がるが他方の斜辺部側で狭くなる。このように電極間距離の変動が第１傾斜辺部側と第２傾斜辺部側で相殺されるため、印刷ずれに起因する初期抵抗値の変動を抑えることができる。
【００１３】
上記の構成において、第１傾斜辺部と第２傾斜辺部は山形状または谷形状となって抵抗体に重なっていれば良い。ただし、一方の電極の対向辺が山形状となっている場合、他方の電極の端部は山形状の対向辺とするか、抵抗体と直角に重なる対向辺とする必要がある。同様に、一方の電極の対向辺が谷形状となっている場合、他方の電極の端部は谷形状の対向辺とするか、抵抗体と直角に重なる対向辺とする必要がある。
【００１４】
この場合において、第１傾斜辺部と第２傾斜辺部の交点を通って抵抗体の長手方向へ延びる直線に関して、これら第１傾斜辺部と第２傾斜辺部が線対称になっていると、一方の斜辺部側で広がる電極間距離の変動分と他方の斜辺部側で狭くなる電極間距離の変動分がプラスマイナスでゼロになるため好ましい。
【００１５】
あるいは、第１傾斜辺部と第２傾斜辺部が抵抗体の幅方向へ延びる直線辺部を介して連続した形状、すなわち台形状の対向辺とした上で、この直線辺部を相手側の電極の対向辺と最短距離で対向させても良い。このように対向辺が直線辺部を有する台形状になっていると、電極間の最短部分が直線辺部に沿って長くなるため、抵抗体の一箇所に負荷集中しなくなって負荷特性が向上する。
【発明の効果】
【００１６】
本発明のチップ抵抗器は、抵抗体を介して対向する一対の電極のうち、少なくとも一方の電極の対向辺が互いに逆向きに傾斜する第１傾斜辺部と第２傾斜辺部を有しており、これら第１傾斜辺部と第２傾斜辺部が抵抗体の相対向する長辺部に重なっているため、電極に対して抵抗体が幅方向へ位置ずれした状態で形成されても、抵抗体の両長辺部に沿った電極間距離は一方の斜辺部側で広がるが他方の斜辺部側で狭くなり、電極間距離の変動が第１傾斜辺部側と第２傾斜辺部側で相殺されることになる。したがって、抵抗体の初期抵抗値が大きく変動することを防止できると共に、このような抵抗体に対してトリミング溝を形成することにより、抵抗値の切上げ幅を広くしたり微調整をし易くすることができる。
【図面の簡単な説明】
【００１７】
【図１】本発明の第１実施形態例に係るチップ抵抗器の平面図である。
【図２】該チップ抵抗器における抵抗体の位置ずれ状態を示す説明図である。
【図３】本発明の第２実施形態例に係るチップ抵抗器の平面図である。
【図４】本発明の第３実施形態例に係るチップ抵抗器の平面図である。
【図５】本発明の第４実施形態例に係るチップ抵抗器の平面図である。
【図６】従来例に係るチップ抵抗器の平面図である。
【図７】該チップ抵抗器における抵抗体の位置ずれ状態を示す説明図である。
【発明を実施するための形態】
【００１８】
発明の実施の形態について図面を参照して説明すると、図１に示すように、本発明の第１実施形態例に係るチップ抵抗器は、セラミック等からなる直方体形状の絶縁基板１と、絶縁基板１の表面の長手方向両端部に設けられた一対の表面電極２，３と、これら一対の表面電極２，３に接続する長方形状の抵抗体４と、この抵抗体４を覆う図示せぬ保護層等によって主に構成されており、抵抗体４には抵抗値を調整するためのトリミング溝５が形成されている。なお、図示省略されているが、絶縁基板の裏面には表面電極２，３に対応するように一対の裏面電極が設けられており、絶縁基板の長手方向の両端面には対応する表面電極と裏面電極を橋絡する端面電極が設けられている。
【００１９】
絶縁基板１はセラミック等からなり、この絶縁基板１は大判の集合基板を縦横の分割溝に沿って分割して多数個取りしたものである。一対の表面電極２，３はＡｇペーストをスクリーン印刷して乾燥・焼成させたものであり、抵抗体４は酸化ルテニウム等の抵抗体ペーストをスクリーン印刷して乾燥・焼成させたものである。
【００２０】
図示左側の表面電極２の端部はくの字状（谷形状）に屈曲する第１傾斜辺部２ａと第２傾斜辺部２ｂを有する対向辺となっており、第１傾斜辺部２ａは抵抗体４の一方の長辺部（図の下辺）４ａに対して右下がりの直線をもって斜め交差し、第２傾斜辺部２ｂは抵抗体４の他方の長辺部（図の上辺）４ｂに対して右上がりの直線をもって斜め交差している。第１傾斜辺部２ａと第２傾斜辺部２ｂの交点をＱとすると、これら第１傾斜辺部２ａと第２傾斜辺部２ｂは交点Ｑを通って絶縁基板１の長手方向へ延びる直線（中心軸）Ｐに関して線対称な形状となっている。一方、図示右側の表面電極３の端部は直線部３ｄを有する対向辺となっており、この直線部３ｄは抵抗体４の両長辺部と直角に重なっている。したがって、抵抗体４を介して対向する両表面電極２，３間の距離は、直線Ｐを通る部分（抵抗体４の幅方向の中央部分）が最も長くなり、この最長部分を境に抵抗体４の下辺４ａと上辺４ｂに向かって次第に短くなっている。
【００２１】
トリミング溝５はＬカット形状のスリットパターンであり、抵抗体４の下辺４ａから上方へ形成された粗調整用のスリットと、その上端部から右方向に沿って形成された微調整用のスリットとを有している。ここで、抵抗体４の上下の長辺部４ａ，４ｂは電極間距離が最も短い部分であり、このように電極間距離の狭い側からトリミング溝５が形成されるため、トリミング溝５のスリット長さ当たりの抵抗値変化が大きくなり、抵抗値の切上げ幅を広くすることが可能となっている。
【００２２】
前述したように表面電極２，３と抵抗体４は別々のスクリーン印刷工程を経て絶縁基板１上に形成されるため、スクリーンの位置ずれやスクリーン自体の伸び等に起因して、表面電極２，３と抵抗体４の位置関係がずれてしまう場合がある。以下、これら表面電極２，３と抵抗体４の位置ずれについて図２を参照して説明する。
【００２３】
図２（ａ）は表面電極２，３に対して抵抗体４が下側へ位置ずれした状態を示しており、この場合、抵抗体４の下辺４ａに沿った電極間距離は狭くなるものの、抵抗体４の上辺４ｂに沿った電極間距離が広がるため、両表面電極２，３で挟まれた抵抗体４の抵抗値はほとんど変化しない。また、図２（ｂ）は表面電極２，３に対して抵抗体４が上側へ位置ずれした状態を示しており、この場合、抵抗体４の下辺４ａに沿った電極間距離は広くなるものの、抵抗体４の上辺４ｂに沿った電極間距離が狭くなるため、両表面電極２，３で挟まれた抵抗体４の抵抗値はほとんど変化しない。このように、前記直線Ｐに対して抵抗体４が上下方向のいずれの側へ位置ずれしたとしても、それに伴う電極間距離の変動分が第１傾斜辺部２ａ側と第２傾斜辺部２ｂ側で相殺されるため、印刷ずれに起因する初期抵抗値の変動を抑えることができる。
【００２４】
以上説明したように、第１実施形態例に係るチップ抵抗器は、抵抗体４を介して対向する一対の表面電極２，３のうち、一方の表面電極２の対向辺が互いに逆向きに傾斜する第１傾斜辺部２ａと第２傾斜辺部２ｂを有しており、これら第１および第２の傾斜辺部２ａ，２ｂが抵抗体４の相対向する長辺部（下辺４ａと上辺４ｂ）に重なっているため、表面電極２，３に対して抵抗体４が幅方向へ位置ずれした状態で形成された場合でも、その位置ずれに伴う電極間距離の変動分が第１傾斜辺部２ａと第２傾斜辺部２ｂで相殺されることになる。したがって、両表面電極２，３に挟まれた抵抗体４の抵抗値はほとんど変化しなくなり、抵抗体４の初期抵抗値が大きく変動することを防止できる。また、このような抵抗体４に対してトリミング溝５を形成した場合、トリミング溝５のスリット長さ当たりの抵抗値変化が大きくなるため、抵抗値の切上げ幅を広くすることができる。
【００２５】
図３に示す第２施形態例に係るチップ抵抗器では、図示左側の表面電極２の端部が第１傾斜辺部２ａと第２傾斜辺部２ｂを有する対向辺になっているだけでなく、図示右側の表面電極３の端部も逆くの字状（谷形状）に屈曲する第１傾斜辺部３ａと第２傾斜辺部３ｂを有する対向辺となっている。すなわち、両表面電極２，３の対向辺は抵抗体４の中心を通って幅方向へ延びる直線（鉛直線）に関して対称形となってなっており、第１傾斜辺部３ａと第２傾斜辺部３ｂの交点Ｑも前記直線Ｐ上に位置している。なお、一方の表面電極２の第１および第２傾斜辺部２ａ，２ｂがなす角度に対して、他方の表面電極３の第１および第２傾斜辺部３ａ，３ｂがなす角度は必ずしも同じでなくても良く、要は、両表面電極２，３の対向辺が同じように谷形状に形成されていれば良い。
【００２６】
このように構成された第２施形態例に係るチップ抵抗器においても、表面電極２，３に対して抵抗体４が幅方向へ位置ずれした状態で形成された場合は、その位置ずれに伴う電極間距離の変動分が第１傾斜辺部２ａ，３ａ側および第２傾斜辺部２ｂ，３ｂ側で相殺されることになる。したがって、両表面電極２，３で挟まれた抵抗体４の抵抗値はほとんど変化しなくなり、抵抗体４の初期抵抗値が大きく変動することを防止できる。また、このような抵抗体４に対してトリミング溝を形成した場合、トリミング溝のスリット長さ当たりの抵抗値変化が大きくなるため、抵抗値の切上げ幅を広くすることができる。
【００２７】
図４に示す第３施形態例に係るチップ抵抗器では、図示左側の表面電極２の端部が逆くの字状（山形状）に屈曲する第１傾斜辺部２ａと第２傾斜辺部２ｂを有する対向辺になっており、同様に図示右側の表面電極３の端部もくの字状（山形状）に屈曲する第１傾斜辺部３ａと第２傾斜辺部３ｂを有する対向辺となっている。すなわち、一方の表面電極２について見ると、第１傾斜辺部２ａが抵抗体４の下辺４ａに対して右上がりの直線をもって斜め交差すると共に、第２傾斜辺部２ｂが抵抗体４の上辺４ｂに対して右下がりの直線をもって斜め交差し、これら第１傾斜辺部２ａと第２傾斜辺部２ｂの交点Ｑは前記直線Ｐ上に位置している。また、他方の表面電極３について見ると、第１傾斜辺部３ａが抵抗体４の下辺４ａに対して右下がりの直線をもって斜め交差すると共に、第２傾斜辺部３ｂが抵抗体４の上辺４ｂに対して右上がりの直線をもって斜め交差し、これら第１傾斜辺部３ａと第２傾斜辺部３ｂの交点Ｑも直線Ｐ上に位置している。したがって、両表面電極２，３間の距離は、両方の交点Ｑを結ぶ抵抗体４の幅方向中央部が最も短くなり、この最短部分を境に抵抗体１３の下辺４ａと上辺４ｂに向かって次第に長くなっている。
【００２８】
このように構成された第３施形態例に係るチップ抵抗器において、表面電極２，３に対して抵抗体４が図４の下側へ位置ずれした場合、抵抗体４の下辺４ａに沿った電極間距離は広くなるものの、抵抗体４の上辺４ｂに沿った電極間距離が狭くなるため、両表面電極２，３で挟まれた抵抗体４の抵抗値はほとんど変化しない。これとは逆に、表面電極２，３に対して抵抗体４が図４の上側へ位置ずれした場合、抵抗体４の下辺４ａに沿った電極間距離は狭くなるものの、抵抗体４の上辺４ｂに沿った電極間距離が広くなるため、両表面電極２，３で挟まれた抵抗体４の抵抗値はほとんど変化しない。したがって、表面電極２，３に対して抵抗体４が幅方向のどちらに位置ずれした状態で形成されたとしても、印刷ずれに起因する初期抵抗値の変動を抑えることができる。また、このように長辺部（下辺４ａと上辺４ｂ）の電極間距離が最長の抵抗体４に対してトリミング溝を形成した場合、トリミング溝のスリット長さ当たりの抵抗値変化が小さくなるため、微調整が行い易くなって抵抗値精度を高めることができる。
【００２９】
なお、上記した第３施形態例においては、一対の表面電極２，３の端部が両方共に山形状の対向辺となっているが、例えば、一方の表面電極２の端部だけを第１傾斜辺部２ａと第２傾斜辺部２ｂを有する山形状の対向辺とし、他方の表面電極３の端部は、図１と同様に抵抗体４の両長辺部と直角に重なる直線状の対向辺とすることも可能である。
【００３０】
図５に示す第４施形態例に係るチップ抵抗器では、図示左側の表面電極２の端部が台形状の第１乃至第３傾斜辺部２ａ，２ｂ，２ｃを有する対向辺になっており、図示右側の表面電極３の端部も台形状の第１乃至第３傾斜辺部３ａ，３ｂ，３ｃを有する対向辺となっている。すなわち、一方の表面電極２について見ると、第１傾斜辺部２ａが抵抗体４の下辺４ａに対して右上がりの直線をもって斜め交差すると共に、第２傾斜辺部２ｂが抵抗体４の上辺４ｂに対して右下がりの直線をもって斜め交差し、これら第１傾斜辺部２ａと第２傾斜辺部２ｂが抵抗体４の幅方向へ延びる直線辺部２ｃを介して連続している。また、他方の表面電極３について見ると、第１傾斜辺部３ａが抵抗体４の下辺４ａに対して右下がりの直線をもって斜め交差すると共に、第２傾斜辺部３ｂが抵抗体４の上辺４ｂに対して右上がりの直線をもって斜め交差し、これら第１傾斜辺部３ａと第２傾斜辺部３ｂが抵抗体４の幅方向へ延びる直線辺部３ｃを介して連続している。
【００３１】
このように構成された第４施形態例に係るチップ抵抗器においては、両表面電極２，３の直線辺部２ｃ，３ｃが抵抗体４を介して平行に対向しているため、直線辺部２ｃ，３ｃの長さに相当する広い範囲に亘って電極間距離が最短となる。したがって、抵抗体４の一箇所に負荷集中することがなくなり、負荷特性に優れたチップ抵抗器を実現することができる。また、表面電極２，３に対して抵抗体４が幅方向のどちらに位置ずれした状態で形成された場合でも、初期抵抗値を規定する抵抗体４の実質的な抵抗値がほぼ一定となるため、印刷ずれに起因する初期抵抗値の変動を抑えることができる。さらに、トリミング溝のスリット長さ当たりの抵抗値変化が小さいため、微調整が行い易くなって抵抗値精度を高めることができる。
【００３２】
なお、上記した各実施形態例では、抵抗体にＬカット形状のトリミング溝を形成する場合について説明したが、トリミング溝のパターンとしてはＬカットに限定されず、プランジカットやダブルカットのトリミング溝を形成するようにしても良い。
【００３３】
また、上記した各実施形態例では、第１傾斜辺部２ａ，３ａや第２傾斜辺部２ｂ，３ｂを全て直線状に形成した場合について説明したが、これらが緩やかな曲線状に形成されていても良い。例えば、図３に示す第２実施形態例において、図示左側の第１傾斜辺部２ａと第２傾斜辺部２ｂをＣ字状の曲線にて形成すると共に、図示右側の第１傾斜辺部３ａと第２傾斜辺部３ｂを逆Ｃ字状の曲線にて形成するようにしても良い。あるいは、図４に示す第３実施形態例において、図示左側の第１傾斜辺部２ａと第２傾斜辺部２ｂを逆Ｃ字状の曲線にて形成すると共に、図示右側の第１傾斜辺部３ａと第２傾斜辺部３ｂをＣ字状の曲線にて形成することも可能である。
【符号の説明】
【００３４】
１  絶縁基板
２，３  表面電極
２ａ，３ａ  第１傾斜辺部
２ｂ，３ｂ  第２傾斜辺部
２ｃ，３ｃ  直線辺部
３ｄ  直線部
４  抵抗体
４ａ  長辺部（下辺）
４ｂ  長辺部（上辺）
５  トリミング溝
【図１】
2015090896.tif 000003
【図２】
2015090896.tif 000004
【図３】
2015090896.tif 000005
【図４】
2015090896.tif 000006
【図５】
2015090896.tif 000007
【図６】
2015090896.tif 000008
【図７】
2015090896.tif 000009